【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
相互に無線通信が可能な外部記憶装置と無線通信装置とを備える通信システムにおいて、
前記外部記憶装置は、記憶部と無線通信インタフェースと制御部とを備え、
前記無線通信インタフェースは、
前記無線通信装置との間の無線通信を行う第１の無線通信インタフェースと、
外部ネットワークに接続可能な中継装置との間の無線通信を行う第２の無線通信インタフェースと、
前記第１の無線通信インタフェースが受信したデータを前記第２の無線通信インタフェースを介して前記中継装置に中継する中継部と
を備え、
前記制御部は、所定の状態を検出したときに、前記外部記憶装置全体の消費電力を抑制することを特徴とする通信システム。
【請求項２】
前記制御部は、
前記第１及び第２の無線通信インタフェースによるデータ送受信を監視する通信監視部を備え、
前記制御部は、前記第１の無線通信インタフェースが一定時間データを受信しないことを前記通信監視部が検出したときに、前記外部記憶装置全体の消費電力を抑制することを特徴とする請求項１記載の通信システム。
【請求項３】
前記中継部は、前記第１の無線通信インタフェースが受信したデータを解析し、前記データの送信先が前記外部記憶装置自身であればこのデータをこの外部記憶装置内で処理し、それ以外であれば前記第２の無線通信インタフェースを介して前記データを前記中継装置に中継することを特徴とする請求項１または２に記載の通信システム。
【請求項４】
前記制御部による前記外部記憶装置全体の消費電力抑制動作開始後に、前記無線通信装置から前記外部記憶装置が受け取るべきデータを前記第１の無線通信インタフェースが受信したことを前記通信監視部が検出すると、前記制御部による消費電力抑制動作を解除する
ことを特徴とする請求項２または３に記載の通信システム。
【請求項５】
前記制御部は、前記第１の無線通信インタフェースが一定時間データを受信しないことを前記通信監視部が検出したときに、前記記憶部の消費電力を抑制する記憶部制御部を備えることを特徴とする請求項２〜４のいずれかに記載の通信システム。
【請求項６】
前記記憶部はＨＤＤ装置であることを特徴とする請求項２〜請求項５のいずれかに記載の通信システム。
【請求項７】
前記記憶部制御部は、前記第１の無線通信インタフェースが一定時間データを受信しないことを前記通信監視部が検出したときに、前記ＨＤＤ装置の動作を一時停止させることを特徴とする請求項６記載の通信システム。
【請求項８】
前記記憶部の動作休止後に、前記無線通信装置から前記外部記憶装置が受け取るべきデータを前記第１の無線通信インタフェースが受信したことを前記通信監視部が検出すると、前記記憶部制御部による前記記憶部の消費電力抑制動作を解除する
ことを特徴とする請求項５〜請求項７のいずれかに記載の通信システム。
【請求項９】
前記記憶部の動作休止後に、前記無線通信装置から前記外部記憶装置が受け取るべきデータを前記第１の無線通信インタフェースが受信したことを前記通信監視部が検出すると、前記記憶部制御部が前記記憶部に対して起動指示を行う
ことを特徴とする請求項８に記載の通信システム。
【請求項１０】
前記制御部は、前記第１の無線通信インタフェースが一定時間データを受信しないことを前記通信監視部が検出したときに、この制御部自身の消費電力を抑制する
ことを特徴とする請求項２〜請求項９のいずれかに記載の通信システム。
【請求項１１】
前記制御部による前記制御部自身の消費電力抑制動作開始後に、前記無線通信装置から前記外部記憶装置が受け取るべきデータを前記第１の無線通信インタフェースが受信したことを前記通信監視部が検出すると、前記制御部の消費電力抑制動作を解除する
ことを特徴とする請求項１０に記載の通信システム。
【請求項１２】
前記第２の無線通信インタフェースが受信したデータの送信先が前記外部記憶装置自身であるときは、前記中継部は当該データの処理を行わない
ことを特徴とする請求項２〜請求項１１のいずれかに記載の通信システム。
【請求項１３】
前記制御部は、
前記無線通信装置から受信した登録要求データに基づき、この登録要求データに含まれる登録識別データを保持し、前記中継装置及び前記第２の無線通信インタフェースを介して前記無線通信装置から接続要求データが送信されたことを前記通信監視部が検出すると、前記登録識別データ及び前記接続要求データを用いて認証を行う登録処理部を備え、
前記登録処理部による認証が成立した場合は、前記制御部は、前記接続要求データを送信した前記無線通信装置からの前記接続要求データを送信した前記無線通信装置からのデータの送信先が前記外部記憶装置自身であればこのデータをこの外部記憶装置内で処理する
ことを特徴とする請求項２〜請求項１２のいずれかに記載の通信システム。
【請求項１４】
前記記憶部は、記憶媒体と、この記憶媒体が挿入可能なスロットとを有することを特徴とする請求項１〜１３のいずれかに記載の通信システム。
【請求項１５】
記憶部と無線通信インタフェースと制御部とを備える外部記憶装置において、
前記無線通信インタフェースは、
無線通信装置との間の無線通信を行う第１の無線通信インタフェースと、
外部ネットワークに接続可能な中継装置との間の無線通信を行う第２の無線通信インタフェースと、
前記第１の無線通信インタフェースが受信したデータを前記第２の無線通信インタフェースを介して前記中継装置に中継する中継部と
を備え、
前記制御部は、所定の状態を検出したときに、
前記外部記憶装置全体の消費電力を抑制することを特徴とする外部記憶装置。
【請求項１６】
記憶部と無線通信インタフェースと制御部とを備える外部記憶装置におけるデータ処理方法であって、
無線通信装置から受信したデータを前記中継装置に中継する工程と、
所定の状態を検出したら、前記外部記憶装置全体の消費電力を抑制する工程と
を備えることを特徴とするデータ処理方法。
【請求項１７】
記憶部と無線通信インタフェースと制御部とを備えるコンピュータにより実行されるデータ処理プログラムであって、
このデータ処理プログラムは、コンピュータにより実行されると、
無線通信装置から受信したデータを前記中継装置に中継する工程と、
所定の状態を検出したら、前記外部記憶装置全体の消費電力を抑制する工程と
を実行することを特徴とするデータ処理プログラム。
【手続補正２】
【補正対象書類名】明細書
【補正対象項目名】０００７
【補正方法】変更
【補正の内容】
【０００７】
本発明は、相互に無線通信が可能な外部記憶装置と無線通信装置とを備える通信システムに適用される。そして、外部記憶装置に、記憶部と無線通信インタフェースと制御部とを設け、無線通信インタフェースに、無線通信装置との間の無線通信を行う第１の無線通信インタフェースと、外部ネットワークに接続可能な中継装置との間の無線通信を行う第２の無線通信インタフェースと、第１の無線通信インタフェースが受信したデータを第２の無線通信インタフェースを介して中継装置に中継する中継部とを設け、制御部は、所定の状態を検出したときに、外部記憶装置全体の消費電力を抑制することにより、上述の目的を達成している。
ここで、制御部に、第１及び第２の無線通信インタフェースによるデータ送受信を監視する通信監視部を設け、第１の無線通信インタフェースが一定時間データを受信しないことを通信監視部が検出したときに、制御部が外部記憶装置全体の消費電力を抑制することが好ましい。
また、中継部は、第１の無線通信インタフェースが受信したデータを解析し、データの送信先が外部記憶装置自身であればこのデータをこの外部記憶装置内で処理し、それ以外であれば第２の無線通信インタフェースを介してデータを中継装置に中継することが好ましい。
【手続補正３】
【補正対象書類名】明細書
【補正対象項目名】００１５
【補正方法】変更
【補正の内容】
【００１５】
あるいは、無線通信装置から受信した登録要求データに基づき、この登録要求データに含まれる登録識別データを保持し、中継装置及び第２の無線通信インタフェースを介して無線通信装置から接続要求データが送信されたことを通信監視部が検出すると、登録識別データ及び接続要求データを用いて認証を行う登録処理部を制御部に設け、登録処理部による認証が成立した場合は、制御部は、接続要求データを送信した無線通信装置からの接続要求データを送信した無線通信装置からのデータの送信先が外部記憶装置自身であればこのデータをこの外部記憶装置内で処理することが好ましい。
さらに、記憶部は、記憶媒体とこの記憶媒体が挿入可能なスロットとを有することが好ましい。